(57)【要約】【課題】より確実に開封することのできる包装袋、及び該包装袋の製造方法を提供することを課題とする。【解決手段】重なり合う一対のシート２を備え、一対のシート２，２のそれぞれは、第一端及び第一端とは反対側の第二端とを有する一対の斜辺部２００，２００であって、第一端側から第二端側になるにつれて互いに離間する一対の斜辺部２００，２００と、一対の斜辺部２００，２００の第一端同士に亘る開封起点部２０１を有するシート本体部２０と、開封起点部２０１から延出する開封用摘部２１とを備え、一方のシート２におけるシート本体部２０の斜辺部２００と他方のシート２におけるシート本体部２０の斜辺部２００とは、剥離可能に接合され、一方のシート２の開封起点部２０１と他方のシート２の開封起点部２０１とは、剥離可能に接合されることを特徴とする包装袋１。【選択図】図４
2014065524.tif 000002
【特許請求の範囲】
【請求項１】
重なり合う一対のシートを備え、一対のシートのそれぞれは、第一端及び第一端とは反対側の第二端を有する一対の斜辺部であって、第一端側から第二端側になるにつれて互いに離間する一対の斜辺部と、一対の斜辺部の第一端同士に亘る開封起点部とを有するシート本体部と、開封起点部から延出する開封用摘部とを備え、一方のシートにおけるシート本体部の斜辺部と他方のシートにおけるシート本体部の斜辺部とは、剥離可能に接合され、一方のシートの開封起点部と他方のシートの開封起点部とは、剥離可能に接合される包装袋。
【請求項２】
請求項１に記載の包装袋を製造する包装袋の製造方法において、長尺な一対のシート帯であって、長手方向と直交する幅方向で第一端及び第一端とは反対側の第二端を有する一対のシート帯を繰り出しつつ互いに重ね合わせ、一対のシート帯のそれぞれの第一端と第二端とに亘る一対の線状の接合領域同士を剥離可能に接合することによって、シート帯の第一端又は第二端の何れか一方から第一端又は第二端の何れか他方側に向かうにつれて互いに接近する一対の切代辺部と、切代辺部のそれぞれからシート帯の第一端又は第二端の何れか他方側に延びつつ互いに離間する一対の斜辺接合部とを形成し、前記一対の接合領域によって画定された包装袋形成部における、一方の切代辺部と一方の斜辺接合部との境目から他方の切代辺部と他方の斜辺接合部との境目に亘る開封起点部同士を剥離可能に接合することで起点接合部を形成し、前記接合領域に沿ってシート帯を断裁することで包装袋形成部をシート帯から切り離し、一対のシート帯のそれぞれから切り離された包装袋形成部の切代辺部の少なくとも一部を当該包装袋形成部から切り離して一対のシートのそれぞれの開封起点部から延出する開封用摘部を形成する包装袋の製造方法。
【請求項３】
シート帯の第一端から第二端に亘って延びる一対の線状の接合領域同士を剥離可能に接合することによって、一対の斜辺接合部のそれぞれからシート帯の第一端又は第二端の何れか他方側に延びつつ互いに接近する一対の逃用辺部をさらに形成し、隣り合う包装袋形成部の先に形成された包装形成部に対してシート帯の繰出方向上流側で隣接する新たな包装袋形成部を形成する際に、先に形成された包装袋形成部の逃用辺部に切代辺部が隣接し、先に形成された包装袋形成部の斜辺接合部に斜辺接合部が隣接し、先に形成された包装袋形成部の切代辺部に逃用辺部が隣接するようにして、先に接合した一対の接合領域と間隔をあけて一対のシート帯のそれぞれの第一端から第二端に亘って延びる一対の線状の接合領域同士を剥離可能に接合する請求項２に記載の包装袋の製造方法。
【請求項４】
一対のシート帯のそれぞれから切り離された包装袋形成部の逃用辺部を当該包装袋形成部から切り離すことで、シート本体部の一対の斜辺部のそれぞれの第二端同士に亘る開放部から延出する封止用延出部を形成する請求項３に記載の包装袋の製造方法。
【発明の詳細な説明】
【技術分野】
【０００１】
本発明は、三角形状の食品を包装するための包装袋及び該包装袋の製造方法に関する。
【背景技術】
【０００２】
従来から、三角形状の食品を包装するための包装袋が提供されている（例えば、特許文献１参照）。
【０００３】
かかる包装袋は、互いに重なり合う一対のシートを備えている。一対のシートのそれぞれは、第一端及び該一端とは反対側の第二端を有する一対の斜辺部であって、第一端側から第二端側になるにつれて互いに離間する一対の斜辺部と、一対の斜辺部の第一端同士に亘る第一の直線部と、第一の直線部と間隔をあけて設けられる第二の直線部とを有している。また、一対のシートのそれぞれは、一方の斜辺部の第二端から他方の斜辺部の第二端に亘る部分から延出する封止用延出部を備えている。そして、一対のシートの一方の斜辺部同士が接合され、他方の斜辺部同士が接合され、第一の直線部同士が接合され、第二の直線部同士が接合されている。
【０００４】
さらに、一方のシートには、第一の直線部と第二の直線部との間の部分（以下、保持部とする）に面直交方向で貫通する切込みによって形成される開封用摘部と、開封用摘部を引っ張ることで当該シートを引裂可能な引裂部とが形成されている。
【０００５】
この種の包装袋を用いて食品を包装するには、封止用延出部側から一方のシートと他方のシートとの間に食品を挿入した後に、一方のシートの封止用延出部と他方のシートの封止用延出部とを接合する。これにより、食品が包装袋によって包装される。
【０００６】
そして、食品を包装している包装袋を開封するには、保持部を保持しつつ、開封用摘部を保持部から離間させるように引っ張ることで一方のシートを引き裂く。このようにすることで、包装袋を開封し、包装されている食品を取り出すことができるようになる。
【先行技術文献】
【特許文献】
【０００７】
【特許文献１】特開２００５−３５６７３号公報
【発明の概要】
【発明が解決しようとする課題】
【０００８】
ところで、上述の包装袋では、開封を行う際に、保持部を保持しつつ、開封用摘部を保持部から離間させるように引っ張る必要があることから、適正な力で開封用摘部を引っ張ることができない場合がある。このような場合、上述の包装袋では、開封を行う際に、包装されている食品を崩してしまったり、予期せぬ部分を引き裂いてしまったりすることがある。
【０００９】
そこで、本発明は、より確実に開封することのできる包装袋、及び該包装袋の製造方法を提供することを課題とする。
【課題を解決するための手段】
【００１０】
本発明に係る包装袋は、重なり合う一対のシートを備え、一対のシートのそれぞれは、第一端及び第一端とは反対側の第二端を有する一対の斜辺部であって、第一端側から第二端側になるにつれて互いに離間する一対の斜辺部と、一対の斜辺部の第一端同士に亘る開封起点部とを有するシート本体部と、開封起点部から延出する開封用摘部とを備え、一方のシートにおけるシート本体部の斜辺部と他方のシートにおけるシート本体部の斜辺部とは、剥離可能に接合され、一方のシートの開封起点部と他方のシートの開封起点部とは、剥離可能に接合される。
【００１１】
上記構成の包装袋によれば、一対のシートのそれぞれが開封起点部から延出する開封用摘部を有する。そのため、一対の開封用摘部のそれぞれを相反する方向に引っ張ると、一方のシートの開封起点部と他方のシートの開封起点部とが引き剥がされる。さらに、一対の開封用摘部のそれぞれを引っ張り続けると、一方の斜辺部と他方の斜辺部とが第一端側から順に引き剥がされる。
【００１２】
このように、一対の開封用摘部を相反する方向に引っ張って一方のシートと他方のシートとを分離させることで包装袋を開封することができるようになっている。そのため、一方のシートと他方のシートとを均等な力で分離させ易くなっている。
【００１３】
本発明に係る包装袋の製造方法は、上記の包装袋を製造する包装袋の製造方法において、長尺な一対のシート帯であって、長手方向と直交する幅方向で第一端及び第一端とは反対側の第二端を有する一対のシート帯を繰り出しつつ互いに重ね合わせ、一対のシート帯のそれぞれの第一端と第二端とに亘る一対の線状の接合領域同士を剥離可能に接合することによって、シート帯の第一端又は第二端の何れか一方から第一端又は第二端の何れか他方側に向かうにつれて互いに接近する一対の切代辺部と、切代辺部のそれぞれからシート帯の第一端又は第二端の何れか他方側に延びつつ互いに離間する一対の斜辺接合部とを形成し、前記一対の接合領域によって画定された包装袋形成部における、一方の切代辺部と一方の斜辺接合部との境目から他方の切代辺部と他方の斜辺接合部との境目に亘る開封起点部同士を剥離可能に接合することで起点接合部を形成し、前記接合領域に沿ってシート帯を断裁することで包装袋形成部をシート帯から切り離し、一対のシート帯のそれぞれから切り離された包装袋形成部の切代辺部の少なくとも一部を当該包装袋形成部から切り離して一対のシートのそれぞれの開封起点部から延出する開封用摘部を形成する。
【００１４】
上記構成の包装袋の製造方法によれば、切代辺部を包装袋形成部から切り離すことで一対の開封用摘部を形成している。そのため、一対のシート帯のそれぞれの第一端と第二端とに亘る一対の線状の接合領域同士を剥離可能に接合しても、互いに離間する一対の開封用摘部を形成することができる。
【００１５】
この場合、シート帯の第一端から第二端に亘って延びる一対の線状の接合領域同士を剥離可能に接合することによって、一対の斜辺接合部のそれぞれからシート帯の第一端又は第二端の何れか他方側に延びつつ互いに接近する一対の逃用辺部をさらに形成し、隣り合う包装袋形成部の先に形成された包装形成部に対してシート帯の繰出方向上流側で隣接する新たな包装袋形成部を形成する際に、先に形成された包装袋形成部の逃用辺部に切代辺部が隣接し、先に形成された包装袋形成部の斜辺接合部に斜辺接合部が隣接し、先に形成された包装袋形成部の切代辺部に逃用辺部が隣接するようにして、先に接合した一対の接合領域と間隔をあけて一対のシート帯のそれぞれの第一端から第二端に亘って延びる別の線状の接合領域同士を剥離可能に接合するようにしてもよい。このようにすれば、複数の包装袋形成部をシート帯の長手方向に沿って隙間なく並べて形成することができる。従って、包装袋を効率良く製造することができる。
【００１６】
一対のシート帯のそれぞれから切り離された包装袋形成部の逃用辺部を当該包装袋形成部から切り離すことで、シート本体部の一対の斜辺部のそれぞれの第二端同士に亘る開放部から延出する封止用延出部を形成するようにしてもよい。このようにすれば、一対のシート帯のそれぞれの第一端と第二端とに亘る一対の線状の接合領域同士を剥離可能に接合しても、互いに離間する一対の封止用延出部を形成することができる。
【発明の効果】
【００１７】
以上のように、本発明に係る包装袋によれば、より確実に開封することができる。また、本発明に係る包装袋の製造方法によれば、より確実に開封することができる包装袋を製造することができるという優れた効果を奏し得る。
【図面の簡単な説明】
【００１８】
【図１】図１は、本発明の一実施形態に係る包装袋の正面図である。
【図２】図２は、同実施形態に係る包装袋の分解斜視図である。
【図３】図３は、同実施形態に係る包装袋の斜視図であって、食品を包装している状態の斜視図である。
【図４】図４は、同実施形態に係る包装袋の開封方法の説明図であって、一対の開封用摘部のそれぞれを相反する方向に引っ張っている状態の説明図である。
【図５】図５は、同実施形態に係る包装袋の開封方法の説明図であって、起点接合部及び斜辺接合部を引き裂いている状態の説明図である。
【図６】図６は、同実施形態に係る包装袋の開封方法の説明図であって、斜辺分離部の裂け目が剥止部に到達した状態の説明図である。
【図７】図７は、同実施形態に係る包装袋の製造方法の説明図であって、図７Ａは、シート帯に複数の包装袋形成部を形成する過程の説明図であり、図７Ｂは、シート帯から切り離した包装袋形成部を整形する過程の説明図である。
【図８】図８は、本発明の他実施形態に係る包装袋の製造方法によって形成された包装袋の正面図である。
【図９】図９は、本発明の別の実施形態に係る包装袋の製造方法によって形成された包装袋の正面図である。
【発明を実施するための形態】
【００１９】
以下、本発明の一実施形態に係る包装袋について、添付図面を参酌しつつ説明する。図１及び図２に示すように、本実施形態に係る包装袋１は、重なり合う一対のシート２，２を備えている。
【００２０】
一対のシート２，２のそれぞれは、第一端及び第一端とは反対側の第二端を有する一対の斜辺部２００，２００であって、第一端側から第二端側になるにつれて互いに離間する一対の斜辺部２００，２００と、一対の斜辺部２００，２００の第一端同士に亘る開封起点部２０１とを有するシート本体部２０と、開封起点部２０１から延出する開封用摘部２１とを備えている。また、一対のシート２のそれぞれは、シート本体部２０の一対の斜辺部２００，２００のそれぞれの第二端同士に亘る開放部（採番しない）から延出する（シート本体部２０の開封起点部２０１とは反対側の部分から延出する）封止用延出部２２を備えている。
【００２１】
なお、本実施形態では、一対の斜辺部２００，２００が並ぶ方向を幅方向とし、該幅方向と直交する方向を長手方向として以下の説明を行うこととする。
【００２２】
一方のシート２におけるシート本体部２０の斜辺部２００と他方のシート２におけるシート本体部２０の斜辺部２００とは、剥離可能に接合されている。そして、一方のシート２におけるシート本体部２０の開封起点部２０１と他方のシート２におけるシート本体部２０の開封起点部２０１とは、剥離可能に接合されている。なお、本実施形態では、一方のシート２におけるシート本体部２０の斜辺部２００と他方のシート２におけるシート本体部２０の斜辺部２００とを接合した部分を斜辺接合部２００ａとし、一方のシート２におけるシート本体部２０の開封起点部２０１と他方のシート２におけるシート本体部２０の開封起点部２０１とを接合した部分を起点接合部２０１ａとして以下の説明を行う。
【００２３】
シート本体部２０は、互いに接合されている一方のシート２の斜辺部２００と他方のシート２が引き剥がされることを妨げる剥止部２０２をさらに有する。剥止部２０２は、一対の斜辺接合部２００ａのそれぞれに形成されている。より具体的に説明すると、剥止部２０２は、斜辺部２００を跨いで一方のシート２から他方のシート２に亘って設けられている。また、一方の斜辺接合部２００ａに形成されている剥止部２０２と、他方の斜辺接合部２００ａに形成されている剥止部２０２とは、幅方向（一方の斜辺部２００と他方の斜辺部２００とが並ぶ方向）で並ぶ位置に設けられている。
【００２４】
一対の開封用摘部２１，２１のそれぞれは、矩形状をなしている。より具体的に説明すると、一対の開封用摘部２１，２１のそれぞれは、一対の斜辺部２００，２００のそれぞれの第一端から延出する一対の対向辺部２１０，２１０を有する。そして、一対の対向辺部２１０，２１０のそれぞれは、斜辺部２００の第一端から真っ直ぐに延びている。すなわち、一対の対向辺部２１０，２１０のそれぞれは、互いに平行となるように延びている。
【００２５】
一対の封止用延出部２２，２２のそれぞれは、シート本体部２０の開封起点部２０１とは反対側の部分（一方の斜辺部２００の第二端から他方の斜辺部２００の第二端に亘る部分）から延出するにつれて幅方向における寸法が小さくなるように形成されている。より具体的に説明すると、一対の封止用延出部２２，２２のそれぞれは、一対の斜辺部２００，２００のそれぞれから延びる一対の封止辺部２２０，２２０を有する。そして、一対の封止辺部２２０，２２０のそれぞれは、斜辺部２００から延びるにつれて互いに接近するようになっている。
【００２６】
本実施形態に係る包装袋１は、以上の通りである。続いて、包装袋１による食品の包装方法と、食品を包装している包装袋１の開封方法について、添付図面を参照しつつ説明を行う。
【００２７】
まず、本実施形態において包装する対象となる食品について説明する。図３に示すように、食品Ｆは、厚みを有する三角形状をなしている。より具体的に説明すると、食品Ｆは、三角形状の上面Ｆａと、該上面Ｆａとは反対側の下面であって、三角形状の下面Ｆｂと、上面Ｆａと下面Ｆｂとの間の側面Ｆｃとを有する。
【００２８】
包装袋１に食品Ｆを包装するには、一方のシート２の封止用延出部２２と、他方のシート２の封止用延出部２２とを離間させる。このような状態で、食品Ｆを一方のシート２のシート本体部２０と他方のシート２のシート本体部２０との間に挿入する。そして、一方のシート２の封止用延出部２２と、他方のシート２の封止用延出部２２とを接合することで、食品Ｆが包装袋１によって包装される。
【００２９】
このような状態において、包装袋１の一方の斜辺接合部２００ａは、食品Ｆの上面Ｆａに対応する場所に位置し、包装袋１の他方の斜辺接合部２００ａは、食品Ｆの下面Ｆｂに対応する場所に位置した状態になる。
【００３０】
そして、食品Ｆを包装している包装袋１を開封するには、図４に示すように、一方のシート２の開封用摘部２１と他方のシート２の開封用摘部２１とを互いに相反する方向に引っ張る。このようにすると、起点接合部２０１ａが引き裂かれる（一方のシート２の開封起点部２０１と、他方のシート２の開封起点部２０１とが剥がれる）。
【００３１】
さらに、開封用摘部２１を引っ張り続けると、図５に示すように、一対の斜辺接合部２００ａ，２００ａのそれぞれが起点接合部２０１ａ側から順に引き剥がされる（一方のシート２の斜辺部２００と他方のシート２の斜辺部２００との接合が第一端側から順に剥がれる）。そして、図６に示すように、一対の斜辺接合部２００ａ，２００ａのそれぞれが剥止部２０２の設けられている部分まで引き剥がされると、剥止部２０２によって、一対の斜辺接合部２００ａ，２００ａのそれぞれの引き剥がしが妨げられる。このようにして、一方のシート２と他方のシート２とを分離することで、包装されている食品Ｆを取り出すことができる状態になる。
【００３２】
本実施形態に係る包装袋１による食品Ｆの包装方法と、食品Ｆを包装している包装袋１の開封方法とは、以上の通りである。続いて、本実施形態に係る包装袋１の製造方法について、添付図面を参酌しつつ説明を行うこととする。
【００３３】
包装体の製造方法では、図７Ａ及び図７Ｂに示すように、長尺な一対のシート帯３，３であって、長手方向と直交する幅方向で第一端と第一端の反対側の第二端とを有する一対のシート帯３，３を繰り出しつつ互いに重ね合わせる。そして、シート帯３の長手方向で並ぶように複数の包装袋形成部３１，３１…を形成する。
【００３４】
より具体的に説明すると、図７Ａに示すように、一対のシート帯３，３のそれぞれの第一端と第二端とに亘る一対の線状の接合領域３０，３０同士を剥離可能に接合することによって、シート帯３の第一端又は第二端の何れか一方から第一端又は第二端の何れか他方側に向かうにつれて互いに接近する一対の切代辺部３００，３００と、一対の切代辺部３００，３００のそれぞれからシート帯３の第一端又は第二端の何れか他方側に延びつつ互いに離間する一対の斜辺接合部２００ａ，２００ａとを形成する。
【００３５】
このとき、一対の切代辺部３００，３００と一対の斜辺接合部２００ａ，２００ａとともに、一対の斜辺接合部２００ａ，２００ａのそれぞれからシート帯３の第一端又は第二端の何れか他方側に延びつつ互いに接近する一対の逃用辺部３０１，３０１をさらに形成する。これにより、前記一対の接合領域３０，３０によって画定された包装袋形成部３１が形成される。
【００３６】
そして、前記一対の接合領域３０，３０によって画定された包装袋形成部３１における、一方の切代辺部３００と一方の斜辺接合部２００ａとの境目から他方の切代辺部３００と他方の斜辺接合部２００ａとの境目に亘る部分を剥離可能に接合することで開封起点部２０１を形成する。
【００３７】
次いで、先に形成された包装袋形成部３１に対してシート帯３の繰出方向上流側で隣接する新たな包装袋形成部３１を形成する。より具体的に説明すると、シート帯３の第一端から第二端に亘って延びる一対の線状の接合領域３０，３０同士を剥離可能に接合することによって、一対の斜辺接合部２００ａ，２００ａのそれぞれからシート帯３の第一端又は第二端の何れか他方側に延びつつ互いに接近する一対の逃用辺部３０１，３０１をさらに形成する。このとき、隣り合う包装袋形成部３１の先に形成された包装形成部３１に対してシート帯３の繰出方向上流側で隣接する新たな包装袋形成部３１を形成するにあたり、先に形成された包装袋形成部３１の逃用辺部３０１に切代辺部３００が隣接し、先に形成された包装袋形成部３１の斜辺接合部２００ａに斜辺接合部２００ａが隣接し、先に形成された包装袋形成部３１の切代辺部３００に逃用辺部３０１が隣接するようにして、先に接合した一対の接合領域３０，３０と間隔をあけて一対のシート帯３，３のそれぞれの第一端から第二端に亘って延びる一対の線状の接合領域３０，３０同士を剥離可能に接合する。
【００３８】
これにより、前記一対の接合領域３０，３０によって画定された新たな包装袋形成部３１が形成される。そして、前記一対の接合領域３０，３０によって画定された包装袋形成部３１における、一方の切代辺部３００と一方の斜辺接合部２００ａとの境目から他方の切代辺部３００と他方の斜辺接合部２００ａとの境目に亘る部分を剥離可能に接合することで開封起点部２０１を形成する。
【００３９】
そして、隣り合う包装袋形成部３１，３１の境目に沿って（前記接合領域３０に沿って）シート帯３を熱溶断することで包装袋形成部３１をシート帯３から切り離す。これにより、包装袋形成部３１をシート帯３から切り離す。
【００４０】
このようにした後に、図７Ｂに示すように、一対の斜辺接合部２００ａ，２００ａのそれぞれの途中位置を熱溶断して剥止部２２０を形成する。そして、シート帯３から切り離された包装袋形成部３１の切代辺部３００を当該包装袋形成部３１から切り離す。これにより、一対のシート本体部２０，２０のそれぞれの開封起点部２０１から延出する一対の開封用摘部２１，２１を形成する。
【００４１】
さらに、シート帯３から切り離された包装袋形成部３１の逃用辺部３０１を当該包装袋形成部３１から切り離すことで、一対のシート本体部２０，２０のそれぞれの開封起点部２０１とは反対側の部分（一方の斜辺部２００の第二端から他方の斜辺部２００の第二端に亘る部分）から延出する一対の封止用延出部２２，２２を形成する。包装袋１の製造方法では、このようにして、包装袋１が製造される。
【００４２】
以上のように、包装袋１は、一対のシート２のそれぞれがシート本体部２０の一対の斜辺部２００，２００のそれぞれの第一端同士に亘る開封起点部２０１から延出する開封用摘部２１を備えているため、一方のシート２と他方のシート２とに略均等な力を加え易くなっている。そのため、包装袋１では、一対の斜辺接合部２００ａ，２００ａのそれぞれを第一端側から順に引き裂くことができる。従って、包装袋１は、より確実に開封することができるという優れた効果を奏し得る。
【００４３】
また、本実施形態に係る包装袋１において、一対のシート本体部２０，２０のそれぞれは、一対の斜辺接合部２００ａ，２００ａのそれぞれに剥止部２０２が形成されている。そのため、包装袋１は、斜辺接合部２００ａを全長に亘って一度に引き裂いてしまうことを防止できる。
【００４４】
さらに、包装袋１では、一対のシート２，２のそれぞれが互いに離間している封止用延出部２２を備えているため、食品を一対のシート２，２同士の間に包装すべく、一対のシート２，２同士の間に空間を形成したときに、斜辺接合部２００ａが引き裂かれることを防止できる。
【００４５】
そして、包装袋１の製造方法では、シート帯３の開封用摘部２１が形成される部分の両側に切代辺部３００を形成し、該切代辺部３００を包装袋形成部３１から切り離すことで開封用摘部２１を形成している。そのため、包装袋１の製造方法では、一対のシート帯３，３のそれぞれの第一端と第二端とに亘る一対の線状の接合領域３０，３０同士を剥離可能に接合しても、互いに離間する一対の開封用摘部２１，２１を備える包装袋１を製造することができる。
【００４６】
さらに、包装袋１の製造方法では、一対のシート帯３，３のそれぞれの第一端と第二端とに亘る一対の線状の接合領域３０同士を剥離可能に接合することによって、一対の斜辺接合部２００ａ，２００ａと一対の切代辺部３００，３００とに加えて一対の逃用辺部３０１，３０１を形成しているため、複数の包装袋形成部３１，３１…をシート帯３の長手方向に沿って隙間なく形成することができる。従って、包装袋１の製造方法では、包装材を効率良く製造することができる。
【００４７】
尚、本発明に係る包装袋及び包装袋の製造方法は、上記実施形態に限定されるものではなく、本発明の要旨を逸脱しない範囲内において種々変更を加え得ることは勿論である。
【００４８】
上記実施形態において、開封用摘部２１０の対向辺部２１０，２１０のそれぞれは、斜辺部２００の第一端から真っ直ぐに延びていたが、これに限定されるものではなく、例えば、対向辺部２１０，２１０のそれぞれは、自身が斜辺部２００の第一端から延出する方向における途中位置で屈曲していてもよい。
【００４９】
より具体的に説明すると、対向辺部２１０，２１０のそれぞれは、図８に示すように、互いに離間しつつ斜辺部２００の第一端から延びるように形成されている部分に連続して、互いに平行となるように延びる部分が形成されているような構成を採用したり、図９に示すように、互いに離間しつつ斜辺部２００の第一端から延びるように形成されている部分に連続して、互いに接近しつつ延びる部分が形成されているような構成を採用することもできる。
【００５０】
また、上記実施形態において、包装袋１の製造方法では、シート帯３に切代辺部３００と、斜辺接合部２００ａと、逃用辺部３０１とを形成した後に、起点接合部２０１ａを形成していたが、これに限定されるものではなく、例えば、切代辺部３００と、斜辺接合部２００ａと、逃用辺部３０１とを形成する前に、起点接合部２０１ａを形成したり、シート帯３に切代辺部３００と、斜辺接合部２００ａと、逃用辺部３０１とを形成すとともに、起点接合部２０１ａを形成したりすることができる。
【００５１】
また、上記実施形態において特に言及しなかったが、剥止部２０２は、一対の斜辺接合部２００ａ，２００ａ同士が引き剥がされることを妨げた後に、さらに強い力を加えれば、当該剥止部２０２を破断させて、一対の斜辺接合部２００ａ，２００ａ同士をさらに引き剥がすことができるようにすることもできる。
【００５２】
また、上記実施形態において、切代辺部３００は、逃用辺部３０１よりも先に包装袋形成部３１から切り離されていたがこれに限定されるものではなく、例えば、切代辺部３００は、逃用辺部３０１を包装袋形成部３１よりも後に包装袋形成部３１から切り離したり、逃用辺部３０１とともに包装袋形成部３１から切り離したりするようにしてもよい。
【００５３】
また、上記実施形態では、切代片部３００を包装袋形成部３１から切り離すにあたり、図７Ｂに示すように、包装袋形成部３１を開封起点部２０１と切代片部３００とが交わる部分から、シート帯３の幅方向に沿って真っ直ぐに切断していたが、これに限定されるものではなく、例えば、図８に示すように、包装袋形成部３１を切代片部３００の途中位置（切代片部３００の開封起点部２０１から延びる方向における途中位置）から、シート帯３の幅方向に沿って真っ直ぐに切断したり、図９に示すように、切代片部３００の途中位置から、シート帯３の幅方向と交差する方向に沿って切断したりすることで切代片部３００を包装袋形成部３１から切り離すようにしてもよい。
【符号の説明】
【００５４】
１…包装袋、２…シート、２０…シート本体部、２００…斜辺部、２００ａ…斜辺接合部、２０１…開封起点部、２０１ａ…起点接合部、２０２…剥止部、２１…開封用摘部、２１０…対向辺部、２２…封止用延出部、２２０…封止辺部、３…シート帯、３０…接合領域、３００…切代辺部、３０１…逃用辺部、３１…包装袋形成部、Ｆ…食品、Ｆａ…上面、Ｆｂ…下面、Ｆｃ…側面
【図１】
2014065524.tif 000003
【図２】
2014065524.tif 000004
【図３】
2014065524.tif 000005
【図４】
2014065524.tif 000006
【図５】
2014065524.tif 000007
【図６】
2014065524.tif 000008
【図７】
2014065524.tif 000009
【図８】
2014065524.tif 000010
【図９】
2014065524.tif 000011